(57)【特許請求の範囲】
【請求項１】
ネットワーク側装置は、無線フレームを決定するステップと、
前記ネットワーク側装置は、前記無線フレームを介して端末と通信するステップとを備え、
前記無線フレームはエンハンスト・サブフレームを含み、前記エンハンスト・サブフレームはアップリンクＵＬ部分及びダウンリンクＤＬ部分を含み、
前記無線フレームにおける異なる前記エンハンスト・サブフレームにおけるＵＬ部分サイズは異なり、及び/または、前記無線フレームにおける異なる前記エンハンスト・サブフレームにおけるＤＬ部分サイズは異なり、
前記無線フレームにおけるエンハンスト・サブフレームは、第２種のエンハンスト・サブフレームを含み、
前記第２種のエンハンスト・サブフレームにおけるＵＬ部分は、ＤＬ部分の前に位置することを特徴とするデータ伝送の方法。
【請求項２】
前記ネットワーク側装置が前記無線フレームを介して端末と通信することは、
前記ネットワーク側装置は、前記エンハンスト・サブフレームにおけるＵＬ部分を介して、アップリンクパイロット、アップリンクトラフィックデータ及びアップリンク制御シグナリングのうちの一部または全部を受信し、及び/または、
前記ネットワーク側装置は、前記エンハンスト・サブフレーム中ＤＬ部分を介して、ダウンリンクパイロット、ダウンリンクトラフィックデータ及びダウンリンク制御シグナリングのうちの一部または全部を送信することを特徴とする請求項１に記載のデータ伝送の方法。
【請求項３】
前記ネットワーク側装置が無線フレームを決定することは、
前記ネットワーク側装置は、前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なることを特徴とする請求項１に記載のデータ伝送の方法。
【請求項４】
前記エンハンスト・サブフレームは少なくとも以下の１つの条件を満たし、
条件１、
前記無線フレームにおけるエンハンスト・サブフレームは、第１種のエンハンスト・サブフレームを含み、
前記第１種のエンハンスト・サブフレームにおけるＤＬ部分は、ＵＬ部分の前に位置し、
条件２、
前記エンハンスト・サブフレームにおけるＵＬ部分は、Ｎ個の直交周波数分割多重ＯＦＤＭ符号を含み、Ｎは正整数であり、
前記エンハンスト・サブフレームにおけるＤＬ部分はＭ個のＯＦＤＭ符号を含み、Ｍは正整数であり、
条件３、
前記エンハンスト・サブフレームはガード・インターバル（ＧＰ）部分をさらに含むことを特徴とする請求項３に記載のデータ伝送の方法。
【請求項５】
前記ＭはＮに等しいことを特徴とする請求項４に記載のデータ伝送の方法。
【請求項６】
前記エンハンスト・サブフレームにおける１つのＧＰ部分は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置することを特徴とする請求項４に記載のデータ伝送の方法。
【請求項７】
前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しなか、または、
前記無線フレームにおける、ＧＰ部分を有する異なるエンハンスト・サブフレームにおいて、それぞれのエンハンスト・サブフレームにおけるＧＰ部分の位置は、同様であるか異なることを特徴とする請求項４に記載のデータ伝送の方法。
【請求項８】
前記エンハンスト・サブフレームのダウンリンクを送信する時間間隔ＴＴＩサイズは１つのサブフレームサイズより小さい、及び/または、
前記エンハンスト・サブフレームのアップリンクＴＴＩサイズは１つのサブフレームサイズより小さいことを特徴とする請求項１に記載のデータ伝送の方法。
【請求項９】
前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい、及び/または、
前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しいことを特徴とする請求項８に記載のデータ伝送の方法。
【請求項１０】
前記無線フレームは、少なくとも１つのダウンリンクサブフレーム及び/または少なくとも１つのアップリンクサブフレームをさらに含むことを特徴とする請求項１ないし請求項９のいずれかに記載のデータ伝送の方法。
【請求項１１】
前記ダウンリンクサブフレームのダウンリンクＴＴＩサイズは、１つのサブフレームサイズに等しいか小さい、及び/または、
前記アップリンクサブフレームのアップリンクＴＴＩサイズは、１つのサブフレームサイズに等しいか小さいことを特徴とする請求項１０に記載のデータ伝送の方法。
【請求項１２】
前記ネットワーク側装置は、前記端末のために無線フレームを設定するステップをさらに備えることを特徴とする請求項１ないし請求項９のいずれかに記載のデータ伝送の方法。
【請求項１３】
端末は、無線フレームを決定するステップと、
前記端末は、前記無線フレームを介してネットワーク側装置と通信するステップとを備え、
前記無線フレームはエンハンスト・サブフレームを含み、前記エンハンスト・サブフレームはＵＬ部分及びＤＬ部分を含み、
前記無線フレームにおける異なる前記エンハンスト・サブフレームにおけるＵＬ部分サイズは異なり、及び/または、前記無線フレームにおける異なる前記エンハンスト・サブフレームにおけるＤＬ部分サイズは異なり、
前記無線フレームにおけるエンハンスト・サブフレームは、第２種のエンハンスト・サブフレームを含み、
前記第２種のエンハンスト・サブフレームにおけるＵＬ部分は、ＤＬ部分の前に位置することを特徴とするデータ伝送の方法。
【請求項１４】
前記端末が前記無線フレームを介してネットワーク側装置と通信することは、
前記端末は、前記エンハンスト・サブフレームＵＬ部分を介して、アップリンクパイロット、アップリンクトラフィックデータ及びアップリンク制御シグナリングのうちの一部または全部を送信し、及び/または、
前記端末は、前記エンハンスト・サブフレームＤＬ部分を介して、ダウンリンクパイロット、ダウンリンクトラフィックデータ及びダウンリンク制御シグナリングのうちの一部または全部を受信することを特徴とする前記請求項１３に記載のデータ伝送の方法。
【請求項１５】
前記端末が無線フレームを決定することは、
前記端末は、前記エンハンスト・サブフレームにおけるＵＬ部分及びＤＬ部分のサイズを決定し、
ここで、前記エンハンスト・サブフレームにおけるＵＬ部分及びＤＬ部分のサイズは同様であるか異なることを特徴とする前記請求項１３に記載のデータ伝送の方法。
【請求項１６】
前記エンハンスト・サブフレームは少なくとも以下の１つの条件を満たし、
条件１、
前記無線フレームにおけるエンハンスト・サブフレームは、第１種のエンハンスト・サブフレーム及び/または第２種のエンハンスト・サブフレームを含み、
前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置し、
条件２、
前記エンハンスト・サブフレームにおけるＵＬ部分はＮ個のＯＦＤＭ符号を含み、Ｎは正整数であり、
前記エンハンスト・サブフレームにおけるＤＬ部分はＭ個のＯＦＤＭ符号を含み、Ｍは正整数であり、
条件３、
前記エンハンスト・サブフレームはガード・インターバル（ＧＰ）部分をさらに含むことを特徴とする前記請求項１５に記載のデータ伝送の方法。
【請求項１７】
ＭはＮに等しいことを特徴とする前記請求項１６に記載のデータ伝送の方法。
【請求項１８】
前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置することを特徴とする前記請求項１６に記載のデータ伝送の方法。
【請求項１９】
前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しないか、または、
前記無線フレームにおける、ＧＰ部分を有する異なるエンハンスト・サブフレームにおいて、それぞれのエンハンスト・サブフレームにおけるＧＰ部分の位置は、同様であるか異なることを特徴とする前記請求項１６に記載のデータ伝送の方法。
【請求項２０】
前記エンハンスト・サブフレームのダウンリンクＴＴＩサイズは１つのサブフレームサイズより小さい、及び/または、
前記エンハンスト・サブフレームのアップリンクＴＴＩサイズは１つのサブフレームサイズより小さいことを特徴とする前記請求項１３に記載のデータ伝送の方法。
【請求項２１】
前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい、及び/または、
前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しいことを特徴とする前記請求項２０に記載のデータ伝送の方法。
【請求項２２】
前記無線フレームは、少なくとも１つのダウンリンクサブフレーム及び/または少なくとも１つのアップリンクサブフレームをさらに含むことを特徴とする前記請求項１３ないし請求項２１のいずれかに記載のデータ伝送の方法。
【請求項２３】
前記ダウンリンクサブフレームのダウンリンクＴＴＩサイズは、１つのサブフレームサイズに等しいか小さい、及び/または、
前記アップリンクサブフレームのアップリンクＴＴＩサイズは、１つのサブフレームサイズに等しいか小さいことを特徴とする前記請求項２２に記載のデータ伝送の方法。
【請求項２４】
前記端末が無線フレームを決定することは、前記端末は、ネットワーク側装置の構成に基づき、無線フレームを決定することを特徴とする前記請求項１３ないし請求項２１のいずれかに記載のデータ伝送の方法。
【請求項２５】
ネットワーク側装置は、
無線フレームを決定する第１決定モジュールと、
前記無線フレームを介して端末と通信する第１通信モジュールとを備え、
前記無線フレームはエンハンスト・サブフレームを含み、前記エンハンスト・サブフレームはＵＬ部分及びＤＬ部分を含み、
前記無線フレームにおける異なる前記エンハンスト・サブフレームにおけるＵＬ部分サイズは異なり、及び/または、前記無線フレームにおける異なる前記エンハンスト・サブフレームにおけるＤＬ部分サイズは異なり、
前記無線フレームにおけるエンハンスト・サブフレームは、第２種のエンハンスト・サブフレームを含み、
前記第２種のエンハンスト・サブフレームにおけるＵＬ部分は、ＤＬ部分の前に位置することを特徴とするデータ伝送のネットワーク側装置。
【請求項２６】
前記第１通信モジュールは、
前記エンハンスト・サブフレームＵＬ部分を介して、アップリンクパイロット、アップリンクトラフィックデータ及びアップリンク制御シグナリングのうちの一部または全部を受信し、及び/または、
前記エンハンスト・サブフレームＤＬ部分を介して、ダウンリンクパイロット、ダウンリンクトラフィックデータ及びダウンリンク制御シグナリングのうちの一部または全部を送信することを特徴とする請求項２５に記載のデータ伝送のネットワーク側装置。
【請求項２７】
前記第１決定モジュールは、
前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なることを特徴とする請求項２５に記載のデータ伝送のネットワーク側装置。
【請求項２８】
無線フレームを決定する第２決定モジュールと、
前記無線フレームを介して、ネットワーク側装置と通信する第２通信モジュールとを備え、
前記無線フレームはエンハンスト・サブフレームを含み、前記エンハンスト・サブフレームはＵＬ部分及びＤＬ部分を含み、
前記無線フレームにおける異なる前記エンハンスト・サブフレームにおけるＵＬ部分サイズは異なり、及び/または、前記無線フレームにおける異なる前記エンハンスト・サブフレームにおけるＤＬ部分サイズは異なり、
前記無線フレームにおけるエンハンスト・サブフレームは、第２種のエンハンスト・サブフレームを含み、
前記第２種のエンハンスト・サブフレームにおけるＵＬ部分は、ＤＬ部分の前に位置することを特徴とするデータ伝送の端末。
【請求項２９】
前記第２通信モジュールは、
前記エンハンスト・サブフレームＵＬ部分を介して、アップリンクパイロット、アップリンクトラフィックデータ及びアップリンク制御シグナリングのうちの一部または全部を送信し、及び/または、
前記エンハンスト・サブフレームＤＬ部分を介して、ダウンリンクパイロット、ダウンリンクトラフィックデータ及びダウンリンク制御シグナリングのうちの一部または全部を受信することを特徴とする請求項２８に記載のデータ伝送の端末。
【請求項３０】
前記第２決定モジュールは、
前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なることを特徴とする請求項２８に記載のデータ伝送の端末。
【発明の詳細な説明】
【技術分野】
【０００１】
本発明は無線通信技術分野に関し、特にデータ伝送の方法及び装置に関する。
【背景技術】
【０００２】
２大基本のデュプレックスシステム中の１つであるＴＤＤ（Ｔｉｍｅ ｄｉｖｉｓｉｏｎ ｄｕｐｌｅｘ）モードとして、ブロードバンド移動通信による帯域に対する要求が日々増加している背景下、ますます注目されている。ＴＤＤシステムのアップリンク及びダウンリンク伝送に同様な周波数リソースが利用され、異なるタイムスロットにてアップリンク/ダウンリンク信号を伝送する。通常のＴＤＤシステムには、３ＧのＴＤ−ＳＣＤＭＡ（Ｔｉｍｅ Ｄｉｖｉｓｉｏｎ Ｓｙｎｃｈｒｏｎｉｚｅｄ Ｃｏｄｅ Ｄｉｖｉｓｉｏｎ Ｍｕｌｔｉｐｌｅ Ａｃｃｅｓｓ）システム及び４ＧのＴＤ−ＬＴＥ（ＴＤ−ＳＣＤＭＡ Ｌｏｎｇ Ｔｅｒｍ Ｅｖｏｌｕｔｉｏｎ）システムが含まれ、アップリンク及びダウンリンクタイムスロットの分割は静的または半静的に行われる。通常のやり方として、ネットワーク計画の際、セルタイプ及びだいたいのトラフィック割合によって、ＵＬ/ＤＬタイムスロットの比例を決め、その後、そのまま維持する。３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（Ｌｏｎｇ Ｔｅｒｍ Ｅｖｏｌｕｔｉｏｎ）Ｒｅｌ（リリース）-８/９/１０/１１/１２/１３中のＴＤＤモードは図１に示すフレーム構成を利用する。
【０００３】
ＬＴＥシステムのユーザープレーン遅延は、基地局処理時間、フレーム合わせ（ａｌｉｇｎｉｎｇ）時間、ＴＴＩ（Ｔｒａｎｓｍｉｓｓｉｏｎ Ｔｉｍｅ Ｉｎｔｅｒｖａｌ）時間及び端末処理時間との４つの部分により構成され、そのうち、フレーム合わせ時間は、トラフィックがエア・インタフェースサブフレーム上の伝送チャンスがくるまでの待ち時間を指す。
【０００４】
従来フレーム構造を利用するＴＤ−ＬＴＥシステムは、ネットワーク中の異なるＵＬ/ＤＬトラフィック比例のニーズによく応じられるが、ユーザープレーン遅延に関する性能はＦＤＤシステムより劣る。ある場合ユーザープレーン遅延は、ＦＤＤ（Ｆｒｅｑｕｅｎｃｙ ｄｉｖｉｓｉｏｎ ｄｕｐｌｅｘ）システムより１倍高い。
移動通信トラフィックへの要求が変化し続け、従来ＴＤ−ＬＴＥフレーム構造は、ＦＤＤシステムに近似または相当するユーザープレーン遅延性能を実現するのが困難である。
よって、従来フレーム構造はＴＤ−ＬＴＥシステムユーザープレーン遅延を増大し、システム性能を低減してしまう。
【発明の概要】
【発明が解決しようとする課題】
【０００５】
本発明はデータ伝送の方法及び装置を提供し、従来フレーム構造によるＴＤ−ＬＴＥシステムユーザープレーン遅延の増大のため、システム性能が低減する従来技術における問題点を解決する。
【課題を解決するための手段】
【０００６】
本発明に係る実施例が提供するデータ伝送の方法は、
ネットワーク側装置は、無線フレームを決定するステップと、
前記ネットワーク側装置は、前記無線フレームを介して端末と通信するステップとを備え、
前記無線フレームはエンハンスト・サブフレームを含み、前記エンハンスト・サブフレームはＵＬ部分及びＤＬ部分を含む。
【０００７】
必要に応じて、前記ネットワーク側装置が、前記無線フレームを介して端末と通信することは、
前記ネットワーク側装置は、前記エンハンスト・サブフレームＵＬ部分を介して、アップリンクパイロット、アップリンクトラフィックデータ及びアップリンク制御シグナリングうちの一部または全部を受信し、
及び/または、
前記ネットワーク側装置は、前記エンハンスト・サブフレームＤＬ部分を介して、ダウンリンクパイロット、ダウンリンクトラフィックデータ和ダウンリンク制御シグナリングのうちの一部または全部を送信する。
【０００８】
必要に応じて、前記ネットワーク側装置が、無線フレームを決定することは、
前記ネットワーク側装置は、前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なる。
【０００９】
必要に応じて、前記無線フレームにおけるエンハンスト・サブフレームは、第１種のエンハンスト・サブフレーム及び/または第２種のエンハンスト・サブフレームを含み、
前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【００１０】
必要に応じて、前記エンハンスト・サブフレームにおけるＵＬ部分はＮ個のＯＦＤＭ符号を含み、Ｎは正整数であり、
前記エンハンスト・サブフレームにおけるＤＬ部分はＭ個のＯＦＤＭ符号を含み、Ｍは正整数である。
【００１１】
必要に応じて、ＭはＮに等しい。
【００１２】
必要に応じて、前記無線フレームにおける異なる前記エンハンスト・サブフレームにおけるＵＬ部分サイズは同様であるか異なる。
【００１３】
必要に応じて、前記無線フレームにおける異なる前記エンハンスト・サブフレームにおけるＤＬ部分サイズは同様であるか異なる。
【００１４】
必要に応じて、前記エンハンスト・サブフレームはガード・インターバル（ＧＰ）部分）をさらに含む。
【００１５】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【００１６】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【００１７】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【００１８】
必要に応じて、前記エンハンスト・サブフレームのダウンリンクＴＴＩサイズは１つのサブフレームサイズより小さい、及び/または
前記エンハンスト・サブフレームのアップリンクＴＴＩサイズは１つのサブフレームサイズより小さい。
【００１９】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい、及び/または
前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【００２０】
必要に応じて、前記無線フレームは、少なくとも１つのダウンリンクサブフレーム及び/または少なくとも１つのアップリンクサブフレームをさらに含む。
【００２１】
必要に応じて、前記ダウンリンクサブフレームのダウンリンクＴＴＩサイズは、１つのサブフレームサイズに等しいか小さい、及び/または
前記アップリンクサブフレームのアップリンクＴＴＩサイズは、１つのサブフレームサイズに等しいか小さい。
【００２２】
必要に応じて、当該方法は、
前記ネットワーク側装置は、前記端末のために無線フレームを設定する。
【００２３】
本発明に係る実施例が提供する他のデータ伝送の方法は、
端末は、無線フレームを決定するステップと、
前記端末は、前記無線フレームを介してネットワーク側装置と通信するステップとを備え、
前記無線フレームはエンハンスト・サブフレームを含み、前記エンハンスト・サブフレームはＵＬ部分及びＤＬ部分を含む。
【００２４】
必要に応じて、前記ＵＥが、前記無線フレームを介してネットワーク側装置と通信することは、
前記ＵＥは、前記エンハンスト・サブフレームＵＬ部分を介して、アップリンクパイロット、アップリンクトラフィックデータ及びアップリンク制御シグナリングのうちの一部または全部を送信し、及び/または
前記ＵＥは、前記エンハンスト・サブフレームＤＬ部分を介して、ダウンリンクパイロット、ダウンリンクトラフィックデータ和ダウンリンク制御シグナリングのうちの一部または全部を受信する。
【００２５】
必要に応じて、前記ＵＥが無線フレームを決定することは、
前記ＵＥは、前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なる。
【００２６】
必要に応じて、前記無線フレームにおけるエンハンスト・サブフレームは、第１種のエンハンスト・サブフレーム及び/または第２種のエンハンスト・サブフレームを含み、
前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【００２７】
必要に応じて、前記エンハンスト・サブフレームにおけるＵＬ部分はＮ個のＯＦＤＭ符号を含み、Ｎは正整数であり、
前記エンハンスト・サブフレームにおけるＤＬ部分はＭ個のＯＦＤＭ符号を含み、Ｍは正整数である。
【００２８】
必要に応じて、ＭはＮに等しい。
【００２９】
必要に応じて、前記無線フレームにおける異なる前記エンハンスト・サブフレームにおけるＵＬ部分サイズは同様であるか異なる。
【００３０】
必要に応じて、前記無線フレームにおける異なる前記エンハンスト・サブフレームにおけるＤＬ部分サイズは同様であるか異なる。
【００３１】
必要に応じて、前記エンハンスト・サブフレームはガード・インターバル（ＧＰ）部分）をさらに含む。
【００３２】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【００３３】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【００３４】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【００３５】
必要に応じて、前記エンハンスト・サブフレームのダウンリンクＴＴＩサイズは１つのサブフレームサイズより小さい、及び/または
前記エンハンスト・サブフレームのアップリンクＴＴＩサイズは１つのサブフレームサイズより小さい。
【００３６】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい、及び/または
前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【００３７】
必要に応じて、前記無線フレームは、少なくとも１つのダウンリンクサブフレーム及び/または少なくとも１つのアップリンクサブフレームをさらに含む。
【００３８】
必要に応じて、前記ダウンリンクサブフレームのダウンリンクＴＴＩサイズは、１つのサブフレームサイズに等しいか小さい、及び/または
前記アップリンクサブフレームのアップリンクＴＴＩサイズは、１つのサブフレームサイズに等しいか小さい。
【００３９】
必要に応じて、前記ＵＥが無線フレームを決定することは、
前記ＵＥは、ネットワーク側装置の構成に基づき、無線フレームを決定する。
【００４０】
本発明に係る実施例が提供するデータ伝送のネットワーク側装置は、
無線フレームを決定する第１決定モジュールであって、前記無線フレームはエンハンスト・サブフレームを含み、前記エンハンスト・サブフレームはＵＬ部分及びＤＬ部分を含む前記第１決定モジュールと、
前記無線フレームを介して端末と通信する第１通信モジュールとを備える。
【００４１】
必要に応じて、前記第１通信モジュールは、
前記エンハンスト・サブフレームＵＬ部分を介して、アップリンクパイロット、アップリンクトラフィックデータ及びアップリンク制御シグナリングのうちの一部または全部を受信し、及び/または、
前記エンハンスト・サブフレームＤＬ部分を介して、ダウンリンクパイロット、ダウンリンクトラフィックデータ和ダウンリンク制御シグナリングのうちの一部または全部を送信する。
【００４２】
必要に応じて、前記第１決定モジュールは、
前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なる。
【００４３】
本発明に係る実施例が提供するデータ伝送の端末は、
無線フレームを決定する第２決定モジュールと、
前記無線フレームを介して、ネットワーク側装置と通信する第２通信モジュールとを備え、
前記無線フレームはエンハンスト・サブフレームを含み、前記エンハンスト・サブフレームはＵＬ部分及びＤＬ部分を含む。
【００４４】
必要に応じて、前記第２通信モジュールは、
前記エンハンスト・サブフレームＵＬ部分を介して、アップリンクパイロット、アップリンクトラフィックデータ及びアップリンク制御シグナリングのうちの一部または全部を送信し、及び/または、
前記エンハンスト・サブフレームＤＬ部分を介して、ダウンリンクパイロット、ダウンリンクトラフィックデータ及びダウンリンク制御シグナリングのうちの一部または全部を受信する。
【００４５】
必要に応じて、前記第２決定モジュールは、
前記エンハンスト・サブフレームにおけるＵＬ部分及びＤＬ部分のサイズを決定し、
前記エンハンスト・サブフレームにおけるＵＬ部分及びＤＬ部分のサイズは同様であるか異なる。
【発明の効果】
【００４６】
在本発明に係る実施例により提供する技術案によれば、ネットワーク側装置と端末の間での伝送に用いられる無線フレームはエンハンスト・サブフレームを含み、前記エンハンスト・サブフレームは、ＵＬ（Ｕｐｌｉｎｋ，アップリンク）部分及びＤＬ（Ｄｏｗｎｌｉｎｋ，ダウンリンク）部分を含む。本発明に係る実施例的ＴＤＤフレーム構造は、トラフィックの柔軟性を維持するうえ、ユーザープレーン遅延を低するとともに、システムの後方法交換性を維持することができる。
【図面の簡単な説明】
【００４７】
【図１】は背景技術のＴＤ−ＬＴＥシステムフレームの構造図である。
【図２】は本発明に係る実施例のデータ伝送のシステムの構造図である。
【図３Ａ】は本発明に係る実施例の第１種の第１種のエンハンスト・サブフレームを示す図である。
【図３Ｂ】は本発明に係る実施例の第２種の第１種のエンハンスト・サブフレームを示す図である。
【図３Ｃ】は本発明に係る実施例の第３種の第１種のエンハンスト・サブフレームを示す図である。
【図４Ａ】は本発明に係る実施例の第１種のＧＰ（Ｇｕａｒｄ Ｐｅｒｉｏｄ，ガード・インターバル）が真中に位置する第２種のエンハンスト・サブフレームを示す図である。
【図４Ｂ】は本発明に係る実施例の第２種のＧＰが真中に位置する第２種のエンハンスト・サブフレームを示す図である。
【図４Ｃ】は本発明に係る実施例の第３種のＧＰが真中に位置する第２種のエンハンスト・サブフレームを示す図である。
【図５Ａ】は本発明に係る実施例の第１種のＧＰがない第２種のエンハンスト・サブフレームを示す図である。
【図５Ｂ】は本発明に係る実施例の第２種のＧＰがない第２種のエンハンスト・サブフレームを示す図である。
【図５Ｃ】は本発明に係る実施例の第３種のＧＰがない第２種のエンハンスト・サブフレームを示す図である。
【図６Ａ】は本発明に係る実施例の第１種のＧＰが後面に位置する第２種のエンハンスト・サブフレームを示す図である。
【図６Ｂ】は本発明に係る実施例の第２種のＧＰが後面に位置する第２種のエンハンスト・サブフレームを示す図である。
【図６Ｃ】は本発明に係る実施例の第３種のＧＰが後面に位置する第２種のエンハンスト・サブフレームを示す図である。
【図７Ａ】は本発明に係る実施例の無線フレームが１つのエンハンスト・サブフレームを含むことを示す図である。
【図７Ｂ】は本発明に係る実施例の無線フレームが２つのエンハンスト・サブフレームを含むことを示す図である。
【図７Ｃ】は本発明に係る実施例の無線フレームが６つのエンハンスト・サブフレームを含むことを示す図である。
【図８】は本発明に係る実施例における異なるエンハンスト・サブフレームが異なる構成を採用した構造を示す図である。
【図９Ａ】は本発明に係る実施例の第１種の無線フレームに用いられる２種のエンハンスト・サブフレームを示す図である。
【図９Ｂ】は本発明に係る実施例の第２種の無線フレームに用いられる２種のエンハンスト・サブフレームを示す図である。
【図９Ｃ】は本発明に係る実施例の第３種の無線フレームに用いられる２種のエンハンスト・サブフレームを示す図である。
【図９Ｄ】は本発明に係る実施例の第４種の無線フレームに用いられる２種のエンハンスト・サブフレームを示す図である。
【図９Ｅ】は本発明に係る実施例の第５種の無線フレームに用いられる２種のエンハンスト・サブフレームを示す図である。
【図９Ｆ】は本発明に係る実施例の第６種の無線フレームに用いられる２種のエンハンスト・サブフレームを示す図である。
【図９Ｇ】は本発明に係る実施例の第７種の無線フレームに用いられる２種のエンハンスト・サブフレームを示す図である。
【図９Ｈ】は本発明に係る実施例の第８種の無線フレームに用いられる２種のエンハンスト・サブフレームを示す図である。
【図１０】は本発明に係る実施例の無線フレームにエンハンスト・サブフレームのみが含まれる構造を示す図である。
【図１１Ａ】は本発明に係る実施例の無線フレームにエンハンスト・サブフレーム及びダウンリンクサブフレームのみが含まれる構造を示す図である。
【図１１Ｂ】は本発明に係る実施例の無線フレームにエンハンスト・サブフレーム及びダウンリンクサブフレームのみが含まれる構造を示す図である。
【図１２Ａ】は本発明に係る一実施例のフレームの構造図である。
【図１２Ｂ】は本発明に係る実施例における短ＴＴＩをを採用するフレームの構造図である。
【図１３】は本発明に係る実施例の後方交換性を維持することを示す図である。
【図１４】は本発明に係る実施例のデータ伝送のシステムにおける第１種のネットワーク側装置の構造図である。
【図１５】は本発明に係る実施例のデータ伝送のシステムにおける第１種のＵＥの構造図である。
【図１６】は本発明に係る実施例のデータ伝送のシステムにおける第２種のネットワーク側装置の構造図である。
【図１７】は本発明に係る実施例のデータ伝送のシステムにおける第２種のＵＥの構造図である。
【図１８】は本発明に係る実施例のデータ伝送のシステムにおける第１種のデータ伝送の方法のフローチャートである。
【図１９】は本発明に係る実施例のデータ伝送のシステムにおける第２種のデータ伝送の方法のフローチャートである。
【発明を実施するための形態】
【００４８】
本発明に係る実施例が提供する技術案によれば、ネットワーク側装置と端末の間での伝送に用いられる無線フレームはエンハンスト・サブフレームを含み、前記エンハンスト・サブフレームはＵＬ部分及びＤＬ部分を含む。本発明に係る実施例のＴＤＤフレーム構造は、トラフィックの柔軟性を維持するうえ、ユーザープレーン遅延を低するとともに、システムの後方法交換性を維持することができる。以下詳細に説明する。
【００４９】
図２に示すように、本発明に係る実施例のデータ伝送のシステムは、ネットワーク側装置１０と、端末２０とを備える。
【００５０】
ネットワーク側装置１０は、無線フレームを決定し、前記無線フレームを介して端末２０と通信する。前記無線フレームはエンハンスト・サブフレームを含み、前記エンハンスト・サブフレームはＵＬ部分及びＤＬ部分を含む。
【００５１】
端末２０は、無線フレームを決定し、前記無線フレームを介して、ネットワーク側装置１０と通信する。前記無線フレームはエンハンスト・サブフレームを含み、前記エンハンスト・サブフレームはＵＬ部分及びＤＬ部分を含む。
【００５２】
本発明に係る実施例が提供するフレーム構造案によれば、無線フレームは少なくともエンハンスト・サブフレームを含む。１つのエンハンスト・サブフレームは少なくともＤＬ部分及びＵＬ部分からなる。本発明に係る実施例的フレーム構造は、ＴＤ−ＬＴＥシステムに適用でき、他のシステムに適用することもできる。
【００５３】
必要に応じて、前記ネットワーク側装置は、前記エンハンスト・サブフレームＵＬ部分を介して、アップリンクパイロット、アップリンクトラフィックデータ及びアップリンク制御シグナリングうちの一部または全部を受信する。
【００５４】
これに応じて、ＵＥは、前記エンハンスト・サブフレームＵＬ部分を介して、アップリンクパイロット、アップリンクトラフィックデータ及びアップリンク制御シグナリングのうちの一部または全部を送信する。
【００５５】
必要に応じて、前記ネットワーク側装置は、前記ＤＬ部分を介して、ダウンリンクパイロット、ダウンリンクトラフィックデータ及びダウンリンク制御シグナリングのうちの一部または全部を送信する。
【００５６】
これに応じて、ＵＥは、前記ＤＬ部分を介して、ダウンリンクパイロット、ダウンリンクトラフィックデータ及びダウンリンク制御シグナリングのうちの一部または全部を受信する。
【００５７】
必要に応じて、前記無線フレームにおける異なる前記エンハンスト・サブフレームにおけるＵＬ部分サイズは同様であるか異なる。
【００５８】
必要に応じて、前記無線フレームにおける異なる前記エンハンスト・サブフレームにおけるＤＬ部分サイズは同様であるか異なる。
【００５９】
必要に応じて、本発明に係る実施例的エンハンスト・サブフレームは、ＧＰ部分をさらに含み、ＧＰ部分において、ネットワーク側装置及び端末は信号を送信しない。
【００６０】
必要に応じて、前記エンハンスト・サブフレームにおける１つのＧＰ部分は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【００６１】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【００６２】
例えば、ＧＰ部分の位置は全部同様にしてもよい。無線フレームのそれぞれのエンハンスト・サブフレームにおいて、全部のＧＰ部分は、エンハンスト・サブフレームの最後か最前面か真中に位置することができる。
【００６３】
必要に応じて、前記ネットワーク側装置及び端末が無線フレームを決定する場合、前記エンハンスト・サブフレームにおけるＵＬ部分及びＤＬ部分のサイズを決定する必要がある。ここで、前記エンハンスト・サブフレームにおけるＵＬ部分及びＤＬ部分のサイズは同様であるか異なる。
【００６４】
本発明に係る実施例の前記無線フレームにおけるエンハンスト・サブフレームは、第１種のエンハンスト・サブフレーム及び/または第２種のエンハンスト・サブフレームを含む。
【００６５】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【００６６】
即ち、前記第１種のエンハンスト・サブフレームにおいて、ＤＬ部分が前、ＵＬ部分が後に位置し、本発明にはＴｙｐｅ（タイプ）１エンハンスト・サブフレームと称する。第２種のエンハンスト・サブフレームにおいて、ＵＬ部分が前、ＤＬ部分が後に位置し、本発明にはＴｙｐｅ ２エンハンスト・サブフレームと称する。
【００６７】
実施の際、２種のエンハンスト・サブフレーム構造において、ＤＬ部分、ＧＰ部分、ＵＬ部分の時間サイズは、ダウンリンクまたはアップリンクトラフィックニーズ、セルカバレッジ範囲などの要素により調整するＫ十ができる。３つの部分時間サイズの和は、１つのサブフレームサイズに等しい。ＯＦＤＭ（Ｏｒｔｈｏｇｏｎａｌ Ｆｒｅｑｕｅｎｃｙ Ｄｉｖｉｓｉｏｎ ＭＵＬｔｉｐｌｅｘｉｎｇ）システムにおいて、ＤＬ部分、またはＵＬ部分には、整数個のＯＦＤＭ符号が含まれる。３つの部分のサイズの設定は、プロトコル約定またはシステムの予め設定方式により実現でき、ブロードキャスト、ユーザー専属などの制御シグナリング方式により設定することもできる。
【００６８】
実施の際、無線フレームは、エンハンスト・サブフレームの以外、１つまたは複数のダウンリンクサブフレーム及び/または１つまたは複数のアップリンクサブフレームを含むこともできる。
【００６９】
ここで、ダウンリンクサブフレームは、ダウンリンクパイロット、ダウンリンクトラフィックデータ及びダウンリンク制御シグナリングなどを伝送することができる。アップリンクサブフレームは、アップリンクパイロット、アップリンクトラフィックデータ及びアップリンク制御シグナリングなどを伝送することができる。
【００７０】
本発明に係る実施例が提出するＴＤ−ＬＴＥフレーム構成案によれば、無線フレームは、エンハンスト・サブフレームの以外、１つまたは複数のダウンリンクサブフレーム及び/または１つまたは複数のアップリンクサブフレームを含むこともできる。ここで、ダウンリンクサブフレームは、ダウンリンクパイロット、ダウンリンクトラフィックデータ及びダウンリンク制御シグナリングなどを伝送することができる。アップリンクサブフレームは、アップリンクパイロット、アップリンクトラフィックデータ及びアップリンク制御シグナリングなどを伝送することができる。
【００７１】
１つのサブフレームに１４個のＯＦＤＭ ｓｙｍｂｏｌｓ（符号）が含まれる例を挙げ、図３Ａ~図３Ｃは、Ｔｙｐｅ１エンハンスト・サブフレームの一部の典型的な構成を示した。図面をみれば、ＧＰは真中に位置する。勿論、ＧＰは他の位置にも適用でき、当該分野の技術者であれば、これを容易に理解できるため、その他の例を挙げて説明しない。
【００７２】
図４Ａ~６Ｃは、Ｔｙｐｅ ２エンハンスト・サブフレームの一部の典型的な構成を示した。各図に示すエンハンスト・サブフレームは、ＧＰ部分の構成の異なりによって多少相違する。ＧＰが最前面に位置する図は上述の図と類似するため、説明を繰り返さない。
【００７３】
説明したいのは、以上の図における各部分の時間サイズが例にすぎず、ニーズに応じて、シミュレーションなど方式で他の時間サイズに設定することもできるが、説明は繰り返さない。
【００７４】
必要に応じて、前記エンハンスト・サブフレームのダウンリンクＴＴＩサイズは１つのサブフレームサイズより小さい。
【００７５】
例えば、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。
【００７６】
必要に応じて、前記エンハンスト・サブフレームのアップリンクＴＴＩサイズは１つのサブフレームサイズより小さい。
【００７７】
例えば、前記エンハンスト・サブフレームのアップリンクＴＴＩサイズは、前記エンハンスト・サブフレームにおけるＵＬ部分サイズに等しいか、または、前記エンハンスト・サブフレームのアップリンクＴＴＩサイズは、前記エンハンスト・サブフレームにおけるＵＬ部分サイズに等しい。
【００７８】
本発明に係る実施例によれば、無線フレームのダウンリンクサブフレーム、または、アップリンクサブフレームにおけるＴＴＩサイズは、１つのサブフレームサイズに等しい。または、ダウンリンクＴＴＩ及び/またはアップリンクＴＴＩサイズは、１つのサブフレームサイズより小さい。例えば、サブフレームサイズが１msまたは０.２msであり、対応のＴＴＩサイズはサブフレームサイズと同様であり、１msまたは０.２msである。ダウンリンクＴＴＩ及び/またはアップリンクＴＴＩサイズが１つのサブフレームサイズより小さい場合、１つのダウンリンク及び/またはアップリンクサブフレームには、複数のＴＴＩが含まれることができ、例えば、サブフレームサイズが１ms、ＴＴＩサイズが０.５msである場合、１つのサブフレームには２つのＴＴＩが含まれ、また、例えば、サブフレームサイズが１ms、ＴＴＩサイズが０.２msである。また、例えば、サブフレームサイズが１ms、ＴＴＩサイズがＯＦＤＭ symbolと同様であり、例えば約７０usである。無線フレームにおけるサブフレームサイズは、いずれの数値であることができる。１実施例において、システムにおけるサブフレームサイズが１msであり、他の実施例において、システムにおけるサブフレームサイズは０.２msである。
【００７９】
本発明に係る実施例のＴＤＤ通信システムを適用する無線フレームにおいて、無線フレームは少なくとも１つのエンハンスト・サブフレームを含む。ここで、エンハンスト・サブフレーム数、無線フレームにおける位置などはネットワーク装置により決定し、決定結果はプロトコルの約定、ネットワークの予め設定（例えば、システムブロードキャスト或RRＣ（Ｒａｄｉｏ Ｒｅｓｏｕｒｃｅ Ｃｏｎｔｒｏｌ）シグナリング）、また波動的な制御シグナリング指示（例えば、ＭＡＣ（Ｍｅｄｉｕｍ Ａｃｃｅｓｓ Ｃｏｎｔｒｏｌ）シグナリングまたは物理層シグナリングPＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）など）などの方式により、端末に通知することができる。
【００８０】
図７Ａ~図７Ｃは、下記の３つの実施例を示す。
【００８１】
図７Ａ~図７Ｃに示す例には、全部のエンハンスト・サブフレームは同じタイプ、即ちＴｙｐｅ １エンハンスト・サブフレームであり、かつ各エンハンスト・サブフレームのＤＬ、ＧＰ、ＵＬ３つの部分のサイズが同じく設定されている。実施の際、無線フレームは、１種のエンハンスト・サブフレームタイプ（ｔｙｐｅ １エンハンスト・サブフレームのみか、またｔｙｐｅ ２エンハンスト・サブフレームのみを利用）のみを採用することができる。無線フレームに多様なタイプのエンハンスト・サブフレームがある場合、異なるエンハンスト・サブフレームは、異なるＤＬ、ＧＰ、ＵＬサイズを採用するように設定することができる。
【００８２】
説明したいのは、図７Ａ~図７Ｃは説明するための例にすぎず、当該分野の技術者に、本発明の実施方法を教示するためのものであり、また、実施の場合、実際の状況に合わせて適宜の方式を決めないといけない。
【００８３】
以下、図８に示す１つの実施例により説明する。図８に示すエンハンスト・サブフレーム#１和#６は、同様なＤＬ、ＧＰ、ＵＬサイズ構成を有し、他のエンハンスト・サブフレームは他のＤＬ、ＧＰ、ＵＬサイズ構成を採用する。
【００８４】
無線フレームが２つまたはその以上のエンハンスト・サブフレームを含む場合、異なるタイプのエンハンスト・サブフレーム（Ｔｙｐｅ １またはＴｙｐｅ ２）を利用することができる。
【００８５】
ここで、ｔｙｐｅ １エンハンスト・サブフレームは、図３Ａ~図３Ｃの例に示すように上述の異なる構成を採用することができ、図３Ａ~図３Ｃに限られない。
【００８６】
Ｔｙｐｅ ２エンハンスト・サブフレームは、図７-９の例に示すように上述の異なる構成を採用することができ、図４Ａ~図６Ｃに限られない。
【００８７】
図９Ａ-図９Ｈは、無線フレームに用いられる２種のエンハンスト・サブフレームの異なる実施例を示す。図９Ａ-図９Ｃの例には、サブフレーム{１,６}にｔｙｐｅ １エンハンスト・サブフレームが採用され、サブフレーム{３,４,８,９}にｔｙｐｅ ２エンハンスト・サブフレームが採用される。図９Ｄ及び図９Ｅの例には、サブフレーム{１,４,６,９}にｔｙｐｅ １エンハンスト・サブフレームが採用され、サブフレーム{３,８}にｔｙｐｅ ２エンハンスト・サブフレームが採用される。図９Ｆ及び図９Ｇの例には、サブフレーム{１,３,６,８}にｔｙｐｅ １エンハンスト・サブフレームが採用され、サブフレーム{４,９}にｔｙｐｅ ２エンハンスト・サブフレームが採用される。無線フレームに２種以上のエンハンスト・サブフレームが存在する場合、同一タイプの複数のエンハンスト・サブフレームの間、同様か異なるサブフレーム構造（エンハンスト・サブフレームにおけるＤＬ、ＵＬ及び/またはＧＰ部分のサイズを指す）を採用することができる。図９Ｈに１つのを挙げた。ここで、ｔｙｐｅ １エンハンスト・サブフレーム{１,６}は、１種のサブフレーム構造を採用して設定する（ＤＬ>ＵＬ）が、他のｔｙｐｅ １エンハンスト・サブフレーム{４,９}は、他のサブフレーム構造（ＤＬ=ＵＬ）を採用する。他の例もこのように類推することができるため、この以上説明しない。
【００８８】
説明されたいのは、これまで例を挙げて説明してきたが、本発明に係る実施例は上述の例に限られず、無線フレームに２種のエンハンスト・サブフレームが採用されると、本発明に係る実施例を適用する。
【００８９】
上述の全部実施例には、無線フレームにエンハンスト・サブフレームのほか、ダウンリンクサブフレーム及びアップリンクサブフレームが含まれる。本発明に係る実施例的フレーム構成は、実施の際、エンハンスト・サブフレームのみを含むか、または、無線フレームにエンハンスト・サブフレームのほか、ダウンリンクサブフレームまたはアップリンクサブフレームのうちの１つが含まれる。図１０-図１１Ｂぞれぞれ３つの実施例をしめす。
【００９０】
以下、本発明に係る実施例のフレーム構成案をＴＤＤシステムに応用する例を挙げて、ユーザープレーン遅延を推測する。
【００９１】
本発明に係る実施例の技術案によれば、エンハンスト・サブフレームにおいてダウンリンクトラフィックを伝送できるし、アップリンクトラフィックも伝送でき、かつ、無線フレームに複数のエンハンスト・サブフレームがあるため、本発明の技術案は、ダウンリンクトラフィック及び/またはアップリンクトラフィックのさらなる伝送チャンスを提供することができる。従来のＴＤ−ＬＴＥフレーム構成と比べ、本発明の技術案は、ユーザープレーン遅延を低減させる効果を奏することができる。
【００９２】
図１２Ａに示すフレーム構成の例を挙げ、各サブフレームサイズが１msとすれば、ダウンリンクトラフィックまたはアップリンクトラフィックそれぞれが、ダウンリンクサブフレームまたはアップリンクサブフレーム全体にて伝送するＴＴＩサイズが１msである。エンハンスト・サブフレームにおけるＤＬ部分サイズが０.４５ms、ＵＬ部分サイズが０.４５msとすれば、ダウンリンクトラフィックまたはアップリンクトラフィックそれぞれが、エンハンスト・サブフレームにおけるＤＬ部分またはＵＬ部分にて伝送するＴＴＩサイズが０.４５msであうＲ。また、ダウンリンク伝送の場合、基地局が送信する前に１ms ＴＴＩデータ及び０.４５ms ＴＴＩデータに対する処理時間それぞれが１ms及び０.５msとすれば、端末の受信する際の対応の処理時間それぞれは１.５ms及び１msである。アップリンク伝送の場合、端末が送信する前に１ms ＴＴＩデータ及び０.４５ms ＴＴＩデータに対する処理時間それぞれが１ms及び０.５msとすれば、基地局の受信する際に対応の処理時間それぞれは１.５ms及び１msである。
【００９３】
表１及び表２は、図１２Ａの実施例のアップリンク及びダウンリンクＵプレーン遅延に対する推測結果である。ＨＡＲＱ（Ｈｙｂｒｉｄ Ａｕｔｏｍａｔｉｃ Ｒｅｐｅａｔ Ｒｅｑｕｅｓｔ）を考慮しない場合、当該フレーム構成の実施例に、アップリンク及びダウンリンクの平均Uプレーン遅延それぞれ２.８ms及び３msであることがわかる。従来ＬＴＥ-ＦＤＤシステムの４msのユーザープレーン遅延、及び従来ＴＤＤシステムのユーザープレーン遅延（３ＧＰP TR３６.９１２プロトコルを参考されたい）と比べ、本発明は、その遅延を著しく低減した。よって、本発明に係る実施例が提出するＴＤＤフレーム構成は、システムユーザープレーン遅延を低減させる効果を奏する。
【００９４】
【表１】
0006624595.tif 000002
【００９５】
【表２】
0006624595.tif 000003
【００９６】
本発明の他の実施例に、無線フレームにおけるダウンリンクサブフレーム及びアップリンクサブフレームそれぞれは２つのタイムスロットに分割され、ダウンリンク及びアップリンクＴＴＩサイズは、タイムスロットと同様に定義されている。図１２Ｂに示す例に、各サブフレームサイズが１ms、各ＴＴＩのサイズが０.５msであり、１つのサブフレームに２つのＴＴＩが伝送される。エンハンスト・サブフレームにおけるＤＬ及びＵＬ部分のサイズが等しく、ＤＬ及びＵＬ ＴＴＩサイズと対応し、約０.５msである。ダウンリンク伝送の場合、基地局が送信する前に０.５ ms ＴＴＩに対する処理時間が０.５ms、端末の受信する際の対応の処理時間が１msとすれば、アップリンク伝送の場合、端末が送信する前に０.５ms ＴＴＩデータに対する処理時間は、０.５msであり、基地局が受信する際の対応の処理時間は１msである。
【００９７】
表３及び表４は、図１２Ｂ実施例のアップリンク及びダウンリンクＵプレーン遅延推測結果である。ＨＡＲＱを考慮しない場合、当該フレーム構成の実施例に、アップリンク及びダウンリンクの平均Uプレーン遅延それぞれは２.６ms及び２.７５msであり、従来ＬＴＥ-ＦＤＤシステムの４msのユーザープレーン遅延、及び従来ＴＤＤシステムのユーザープレーン遅延と比べ、著しく低減された。よって、本発明が提出するＴＤＤフレーム構成は、システムユーザープレーン遅延を低減させる効果を奏する。
【００９８】
【表３】
0006624595.tif 000004
【００９９】
【表４】
0006624595.tif 000005
【０１００】
本発明に係る実施例の技術案はユーザープレーン遅延を低減させる以外、後方交換性を維持することもできる。後方交換性とは、ＬＴＥ-ＴＤＤシステムに本発明が提出するフレーム構成案を採用したキャリアにおいて、本発明技術案をサポートするエンハンスト・ＬＴＥ-ＴＤＤ端末以外（例えば、３ＧＰP ＬＴＥ Rel-１４端末）を接続する以外、ＬＴＥ-ＴＤＤ低リリース端末（例えば、３ＧＰP ＬＴＥ Rel-１３前の端末）も依然に接続することができる。具体的に、旧リリースＬＴＥ-ＴＤＤ端末にアップリンクが多いのＵＬ-ＤＬ ｃｏｎｆｉｇｕｒａｔｉｏｎ（構成）Ａを設定し、Ａの部分アップリンクサブフレームのみにおいて本発明が提出するエンハンスト・サブフレームを設定し、結果に対応するＵＬ-ＤＬ ｃｏｎｆｉｇｕｒａｔｉｏｎ Ｂ構成をエンハンスト・ＬＴＥ-ＴＤＤ端末に設定する。
【０１０１】
図１３は１つの例を示す。ネットワークは、低リリースＬＴＥ-ＴＤＤ端末に従来ＵＬ-ＤＬ ｃｏｎｆｉｇｕｒａｔｉｏｎ #０、及び従来special subframe ｃｏｎｆｉｇｕｒａｔｉｏｎ（スペシャルサブフレーム構成）を設定し、無線フレームのサブフレーム{３,４,８,９}にエンハンスト・サブフレームを設定し、対応のフレーム構成をエンハンスト・ＬＴＥ-ＴＤＤ端末に設定する。当該例には、ネットワークは、サブフレーム{０,１,２,５,６,７}のみにおいてスケジューリング低リリースのＬＴＥ-ＴＤＤ端末をスケジューリングし、ネットワークは全部のサブフレームにおいてエンハンスト・ＬＴＥ-ＴＤＤ端末をスケジューリングすることができる。
【０１０２】
以上の内容はそれぞれの技術特徴及び実施例別に説明した。本技術案を実施する場合、上記２つまたは２つ以上の技術特徴（または上記技術特徴を含む実施例）を任意に組み合わせて、得られたフレーム構成案及び対応の実施例も本発明の保護範囲に属する。
【０１０３】
上述の技術案の説明において、１つの無線フレームを単位として説明した。本発明に係る実施例が提供する案を実施する場合、他の時間周期の単位を採用することは排除しておらず、例えば、無線ハーフ・フレーム、複数の無線フレームまたは任意の時間を単位とするサブフレームタイプ、構成を採用することができ、これによって得られるフレーム構成案及び対応の実施例も本発明の保護範囲に属する。
【０１０４】
本発明に係る実施例が提供する案はシステム中サブフレームサイズに制限されておらず、従来ＬＴＥシステムと同様な１msサブフレーム構成を採用してもよいし、ニーズに応じて、より短いサブフレームサイズ、例えば、０.２msを採用してもよい。より短いサブフレームサイズを採用した後、本発明に係る実施例が提供する案は、さらに低いユーザープレーン遅延特性を有する。
【０１０５】
図１４に示すように、本発明に係る実施例のデータ伝送のシステムにおける第１種のネットワーク側装置は、
無線フレームを決定する第１決定モジュール１４００と、
前記無線フレームを介して端末と通信する第１通信モジュール１４０１とを備える。
【０１０６】
前記無線フレームはエンハンスト・サブフレームを含み、前記エンハンスト・サブフレームはＵＬ部分及びＤＬ部分を含む。
【０１０７】
必要に応じて、前記第１通信モジュール１４０１は、
前記エンハンスト・サブフレームＵＬ部分を介して、アップリンクパイロット、アップリンクトラフィックデータ及びアップリンク制御シグナリングのうちの一部または全部を受信し、及び/または、
前記エンハンスト・サブフレームＤＬ部分を介して、ダウンリンクパイロット、ダウンリンクトラフィックデータ及びダウンリンク制御シグナリングのうちの一部または全部を送信する。
【０１０８】
必要に応じて、前記第１決定モジュール１４００は、前記エンハンスト・サブフレームにおけるＵＬ部分及びＤＬ部分のサイズを決定する。
【０１０９】
ここで、前記エンハンスト・サブフレームにおけるＵＬ部分及びＤＬ部分のサイズは同様であるか異なる。
【０１１０】
必要に応じて、前記無線フレームにおけるエンハンスト・サブフレームは、第１種のエンハンスト・サブフレーム及び/または第２種のエンハンスト・サブフレームを含む。
【０１１１】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０１１２】
必要に応じて、前記エンハンスト・サブフレームにおけるＵＬ部分はＮ個のＯＦＤＭ符号を含み、Ｎは正整数である。
【０１１３】
前記エンハンスト・サブフレームにおけるＤＬ部分はＭ個のＯＦＤＭ符号を含み、Ｍは正整数である。
【０１１４】
必要に応じて、ＭはＮに等しい。
【０１１５】
必要に応じて、前記無線フレームにおける異なる前記エンハンスト・サブフレームにおけるＵＬ部分サイズは同様であるか異なる。
【０１１６】
必要に応じて、前記無線フレームにおける異なる前記エンハンスト・サブフレームにおけるＤＬ部分サイズは同様であるか異なる。
【０１１７】
必要に応じて、前記エンハンスト・サブフレームはガード・インターバル（ＧＰ）部分）をさらに含む。
【０１１８】
必要に応じて、前記エンハンスト・サブフレームにおける１つのＧＰ部分、は、ＤＬ部分及びＵＬ部分の真中に位置するか、または、前記エンハンスト・サブフレームにおける１つのＧＰ部分は、前記エンハンスト・サブフレームの最後に位置するか、または、前記エンハンスト・サブフレームにおける１つのＧＰ部分は、前記エンハンスト・サブフレームの最前面に位置する。
【０１１９】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０１２０】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０１２１】
必要に応じて、前記エンハンスト・サブフレームのダウンリンクＴＴＩサイズは１つのサブフレームサイズより小さい、及び/または、
前記エンハンスト・サブフレームのアップリンクＴＴＩサイズは１つのサブフレームサイズより小さい。
【０１２２】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい、及び/または、
前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０１２３】
必要に応じて、前記無線フレームは、少なくとも１つのダウンリンクサブフレーム及び/または少なくとも１つのアップリンクサブフレームをさらに含む。
【０１２４】
必要に応じて、前記ダウンリンクサブフレームのダウンリンクＴＴＩサイズは、１つのサブフレームサイズに等しいか小さい。及び/または、前記アップリンクサブフレームのアップリンクＴＴＩサイズは、１つのサブフレームサイズに等しいか小さい。
【０１２５】
必要に応じて、前記第１通信モジュールは、前記端末のために無線フレームを設定する。
【０１２６】
図１５に示すように、本発明に係る実施例のデータ伝送のシステムにおける第１種のＵＥは、無線フレームを決定する第２決定モジュール１５００と、前記無線フレームを介して、ネットワーク側装置と通信する第２通信モジュール１５０１とを備える。
【０１２７】
前記無線フレームはエンハンスト・サブフレームを含み、前記エンハンスト・サブフレームはＵＬ部分及びＤＬ部分を含む。
【０１２８】
必要に応じて、前記第２通信モジュール１５０１は、
前記エンハンスト・サブフレームＵＬ部分を介して、アップリンクパイロット、アップリンクトラフィックデータ及びアップリンク制御シグナリングのうちの一部または全部を送信し、及び/または、
前記エンハンスト・サブフレームＤＬ部分を介して、ダウンリンクパイロット、ダウンリンクトラフィックデータ及びダウンリンク制御シグナリングのうちの一部または全部を受信する。
【０１２９】
必要に応じて、第２決定モジュール１５００は、前記エンハンスト・サブフレームにおけるＵＬ部分及びＤＬ部分のサイズを決定する。
【０１３０】
ここで、前記エンハンスト・サブフレームにおけるＵＬ部分及びＤＬ部分のサイズは同様であるか異なる。
【０１３１】
必要に応じて、前記無線フレームにおけるエンハンスト・サブフレームは、第１種のエンハンスト・サブフレーム及び/または第２種のエンハンスト・サブフレームを含む。
【０１３２】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０１３３】
必要に応じて、前記エンハンスト・サブフレームにおけるＵＬ部分はＮ個のＯＦＤＭ符号を含み、Ｎは正整数である。
【０１３４】
前記エンハンスト・サブフレームにおけるＤＬ部分はＭ個のＯＦＤＭ符号を含み、Ｍは正整数である。
【０１３５】
必要に応じて、ＭはＮに等しい。
【０１３６】
必要に応じて、前記無線フレームにおける異なる前記エンハンスト・サブフレームにおけるＵＬ部分サイズは同様であるか異なる。
【０１３７】
必要に応じて、前記無線フレームにおける異なる前記エンハンスト・サブフレームにおけるＤＬ部分サイズは同様であるか異なる。
【０１３８】
必要に応じて、前記エンハンスト・サブフレームはガード・インターバル（ＧＰ）部分）をさらに含む。
【０１３９】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【０１４０】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０１４１】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０１４２】
必要に応じて、前記エンハンスト・サブフレームのダウンリンクＴＴＩサイズは１つのサブフレームサイズより小さい。及び/または、前記エンハンスト・サブフレームのアップリンクＴＴＩサイズは１つのサブフレームサイズより小さい。
【０１４３】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。
【０１４４】
及び/または、前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０１４５】
必要に応じて、前記無線フレームは、少なくとも１つのダウンリンクサブフレーム及び/または少なくとも１つのアップリンクサブフレームをさらに含む。
【０１４６】
必要に応じて、前記ダウンリンクサブフレームのダウンリンクＴＴＩサイズは、１つのサブフレームサイズに等しいか小さい。
【０１４７】
及び/または、前記アップリンクサブフレームのアップリンクＴＴＩサイズは、１つのサブフレームサイズに等しいか小さい。
【０１４８】
必要に応じて、前記ＵＥが無線フレームを決定することは、
前記ＵＥは、ネットワーク側装置の構成に基づき、無線フレームを決定する。
【０１４９】
図１６に示すように、本発明に係る実施例のデータ伝送のシステムにおける第２種のネットワーク側装置は、プロセッサ１６０１と、送受信機１６０２とを備える。
【０１５０】
前記プロセッサ１６０１は、メモリ１６０４に格納されたプログラムを読み出し、無線フレームを決定し、前記無線フレームはエンハンスト・サブフレームを含み、前記エンハンスト・サブフレームはＵＬ部分及びＤＬ部分を含み、送受信機１６０２を制御して、前記無線フレームを介して端末と通信する。
【０１５１】
前記送受信機１６０２は、プロセッサ１６０１の制御によりデータを送受信する。
【０１５２】
必要に応じて、前記プロセッサ１６０１は、前記エンハンスト・サブフレームＵＬ部分を介して、アップリンクパイロット、アップリンクトラフィックデータ及びアップリンク制御シグナリングのうちの一部または全部を受信する。及び/または、前記エンハンスト・サブフレームＤＬ部分を介して、ダウンリンクパイロット、ダウンリンクトラフィックデータ及びダウンリンク制御シグナリングのうちの一部または全部を送信する。
【０１５３】
必要に応じて、前記プロセッサ１６０１は、前記エンハンスト・サブフレームにおけるＵＬ部分及びＤＬ部分のサイズを決定する。
【０１５４】
ここで、前記エンハンスト・サブフレームにおけるＵＬ部分及びＤＬ部分のサイズは同様であるか異なる。
【０１５５】
必要に応じて、前記無線フレームにおけるエンハンスト・サブフレームは、第１種のエンハンスト・サブフレーム及び/または第２種のエンハンスト・サブフレームを含む。
【０１５６】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０１５７】
必要に応じて、前記エンハンスト・サブフレームにおけるＵＬ部分はＮ個のＯＦＤＭ符号を含み、Ｎは正整数である。
【０１５８】
前記エンハンスト・サブフレームにおけるＤＬ部分はＭ個のＯＦＤＭ符号を含み、Ｍは正整数である。
【０１５９】
必要に応じて、ＭはＮに等しい。
【０１６０】
必要に応じて、前記無線フレームにおける異なる前記エンハンスト・サブフレームにおけるＵＬ部分サイズは同様であるか異なる。
【０１６１】
必要に応じて、前記無線フレームにおける異なる前記エンハンスト・サブフレームにおけるＤＬ部分サイズは同様であるか異なる。
【０１６２】
必要に応じて、前記エンハンスト・サブフレームはガード・インターバル（ＧＰ）部分）をさらに含む。
【０１６３】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、前記エンハンスト・サブフレームにおける１つのＧＰ部分は、前記エンハンスト・サブフレームの最前面に位置する。
【０１６４】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０１６５】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０１６６】
必要に応じて、前記エンハンスト・サブフレームのダウンリンクＴＴＩサイズは１つのサブフレームサイズより小さい。及び/または、前記エンハンスト・サブフレームのアップリンクＴＴＩサイズは１つのサブフレームサイズより小さい。
【０１６７】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。及び/または、前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０１６８】
必要に応じて、前記無線フレームは、少なくとも１つのダウンリンクサブフレーム及び/または少なくとも１つのアップリンクサブフレームをさらに含む。
【０１６９】
必要に応じて、前記ダウンリンクサブフレームのダウンリンクＴＴＩサイズは、１つのサブフレームサイズに等しいか小さい。及び/または、前記アップリンクサブフレームのアップリンクＴＴＩサイズは、１つのサブフレームサイズに等しいか小さい。
【０１７０】
必要に応じて、前記第１通信モジュールは、前記端末のために無線フレームを設定する。
【０１７１】
図１６において、バスアーキテクチャ（バス１６００で代表）において、バス１６００は、いずれ数の相互接続するバス及びブリッジを備える。バス１６００は、プロセッサ１６０１が代表となる１つまたは複数のプロセッサ及びメモリ１６０４が代表となるメモリの多様な回路により接続される。バス１６００は、外部設備、電圧レギュレーター及び電力管理回路等の他の回路を接続することもできる。これらは、当該分野の周知技術であるため、本発明において、詳細に説明しない。バスインターフェース１６０３は、バス１６００と送受信機１６０２の間にインターフェースを提供する。送受信機１６０２は、１つの部品であってもよく、複数の部品であってもよい、例えば複数の送信機及び受信機を備え、伝送媒体を介して他の装置と通信するユニットを提供する。プロセッサ１６０１により処理したデータはアンテナ１６０５を介して無線媒体上で伝送され、さらに、アンテナ１６０５は、データを受信し、データをプロセッサ１６０１に伝送する。
【０１７２】
プロセッサ１６０１は、バズアーキテクチャ１６００及び通常の処理を監視し、また、タイミング、外周インタフェース、電圧調整、電源管理などの他の制御機能を提供することができる。メモリ１６０４は、プロセッサ１６０１が動作する際に利用するデータを記憶することができる。
【０１７３】
必要に応じて、プロセッサ１６０１は、ＣＰＵ（Ｃｅｎｔｒａｌ Ｐｒｏｃｅｓｓｉｎｇ Ｕｎｉｔ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）または、ＣＰＬＤ（Ｃｏｍｐｌｅｘ Ｐｒｏｇｒａｍｍａｂｌｅ Ｌｏｇｉｃ Ｄｅｖｉｃｅ）であってもよい。
【０１７４】
図１７に示すように、本発明に係る実施例のデータ伝送のシステムにおける第２種のＵＥは、プロセッサ１７０１と、送受信機１７０２とを備える。
【０１７５】
前記プロセッサ１７０１は、メモリ１７０４に格納されたプログラムを読み出し、無線フレームを決定し、送受信機１７０２を制御して、前記無線フレームを介して、ネットワーク側装置と通信する。ここで、前記無線フレームはエンハンスト・サブフレームを含み、前記エンハンスト・サブフレームはＵＬ部分及びＤＬ部分を含む。
【０１７６】
前記送受信機１７０２は、プロセッサ１７０１の制御によりデータを送受信する。
【０１７７】
必要に応じて、前記プロセッサ１７０１は、前記エンハンスト・サブフレームＵＬ部分を介して、アップリンクパイロット、アップリンクトラフィックデータ及びアップリンク制御シグナリングのうちの一部または全部を送信し、及び/または、前記エンハンスト・サブフレームＤＬ部分を介して、ダウンリンクパイロット、ダウンリンクトラフィックデータ及びダウンリンク制御シグナリングのうちの一部または全部を受信する。
【０１７８】
必要に応じて、プロセッサ１７０１は、前記エンハンスト・サブフレームにおけるＵＬ部分及びＤＬ部分のサイズを決定する。
【０１７９】
ここで、前記エンハンスト・サブフレームにおけるＵＬ部分及びＤＬ部分のサイズは同様であるか異なる。
【０１８０】
必要に応じて、前記無線フレームにおけるエンハンスト・サブフレームは、第１種のエンハンスト・サブフレーム及び/または第２種のエンハンスト・サブフレームを含む。
【０１８１】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０１８２】
必要に応じて、前記エンハンスト・サブフレームにおけるＵＬ部分はＮ個のＯＦＤＭ符号を含み、Ｎは正整数である。
【０１８３】
前記エンハンスト・サブフレームにおけるＤＬ部分はＭ個のＯＦＤＭ符号を含み、Ｍは正整数である。
【０１８４】
必要に応じて、ＭはＮに等しい。
【０１８５】
必要に応じて、前記無線フレームにおける異なる前記エンハンスト・サブフレームにおけるＵＬ部分サイズは同様であるか異なる。
【０１８６】
必要に応じて、前記無線フレームにおける異なる前記エンハンスト・サブフレームにおけるＤＬ部分サイズは同様であるか異なる。
【０１８７】
必要に応じて、前記エンハンスト・サブフレームはガード・インターバル（ＧＰ）部分）をさらに含む。
【０１８８】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【０１８９】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０１９０】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０１９１】
必要に応じて、前記エンハンスト・サブフレームのダウンリンクＴＴＩサイズは１つのサブフレームサイズより小さい。及び/または、前記エンハンスト・サブフレームのアップリンクＴＴＩサイズは１つのサブフレームサイズより小さい。
【０１９２】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。及び/または、前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０１９３】
必要に応じて、前記無線フレームは、少なくとも１つのダウンリンクサブフレーム及び/または少なくとも１つのアップリンクサブフレームをさらに含む。
【０１９４】
必要に応じて、前記ダウンリンクサブフレームのダウンリンクＴＴＩサイズは、１つのサブフレームサイズに等しいか小さい。及び/または、前記アップリンクサブフレームのアップリンクＴＴＩサイズは、１つのサブフレームサイズに等しいか小さい。
【０１９５】
必要に応じて、前記ＵＥが無線フレームを決定することは、前記ＵＥは、ネットワーク側装置の構成に基づき、無線フレームを決定する。
【０１９６】
図１７において、バスアーキテクチャ（バス１７００で代表）において、バス１７００は、いずれ数の相互接続するバス及びブリッジを備える。バス１７００は、プロセッサ１７０１が代表となる１つまたは複数のプロセッサ及びメモリ１７０４が代表となるメモリの多様な回路により接続される。バス１７００は、外部設備、電圧レギュレーター及び電力管理回路等の他の回路を接続することもできる。これらは、当該分野の周知技術であるため、本発明において、詳細に説明しない。バスインターフェース１７０３は、バス１７００と送受信機１７０２の間にインターフェースを提供する。送受信機１７０２は、１つの部品であってもよく、複数の部品であってもよい、例えば複数の送信機及び受信機を備え、伝送媒体を介して他の装置と通信するユニットを提供する。例えば、送受信機１７０２は他の装置から外部データを受信する。送受信機１７０２は、プロセッサ１７０１が処理した後のデータを他の装置に送信する。計算システムの性質の次第になっている。さらに、キーパッド、ディスプレー、スピーカー、マイクロホン、ジョイスティック等のユーザーインターフェース１７０５を提供する。
【０１９７】
プロセッサ１７０１は、バズアーキテクチャ１７００及び通常の処理を監視し、また、タイミング、外周インタフェース、電圧調整、電源管理などの他の制御機能を提供することができる。メモリ１７０４は、プロセッサ１７０１が動作する際に利用するデータを記憶することができる。
【０１９８】
必要に応じて、プロセッサ１７０１は、ＣPU、ＡSIＣ、ＦＰＧＡまたはＣＰＬＤであってもよい。
【０１９９】
同様な発明思想に基づき、本発明に係る実施例は第１種のデータ伝送の方法をさらに提供し、当該方法に対応する装置は本発明に係る実施例のデータ伝送のシステムにおけるネットワーク側装置であり、かつ当該方法の問題解決原理は装置と類似するため、当該方法の実施は装置を参考することができ、重複のところはこの以上説明しない。
【０２００】
図１８に示すように、本発明に係る実施例のデータ伝送のシステムにおける第１種のデータ伝送の方法は、ステップ１８００と、ステップ１８０１とを備える。
【０２０１】
ステップ１８００：ネットワーク側装置は、無線フレームを決定する。前記無線フレームはエンハンスト・サブフレームを含み、前記エンハンスト・サブフレームはＵＬ部分及びＤＬ部分を含む。
【０２０２】
ステップ１８０１：前記ネットワーク側装置は、前記無線フレームを介して端末と通信する。
【０２０３】
必要に応じて、前記ネットワーク側装置が前記無線フレームを介して端末と通信することは、
前記ネットワーク側装置は、前記エンハンスト・サブフレームＵＬ部分を介して、アップリンクパイロット、アップリンクトラフィックデータ及びアップリンク制御シグナリングうちの一部または全部を受信する。及び/または、前記ネットワーク側装置は、前記エンハンスト・サブフレームＤＬ部分を介して、ダウンリンクパイロット、ダウンリンクトラフィックデータ及びダウンリンク制御シグナリングのうちの一部または全部を送信する。
【０２０４】
必要に応じて、前記ネットワーク側装置が無線フレームを決定することは、前記ネットワーク側装置は、前記エンハンスト・サブフレームにおけるＵＬ部分及びＤＬ部分のサイズを決定する。
【０２０５】
ここで、前記エンハンスト・サブフレームにおけるＵＬ部分及びＤＬ部分のサイズは同様であるか異なる。
【０２０６】
必要に応じて、前記無線フレームにおけるエンハンスト・サブフレームは、第１種のエンハンスト・サブフレーム及び/または第２種のエンハンスト・サブフレームを含む。
【０２０７】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０２０８】
必要に応じて、前記エンハンスト・サブフレームにおけるＵＬ部分はＮ個のＯＦＤＭ符号を含み、Ｎは正整数である。
【０２０９】
前記エンハンスト・サブフレームにおけるＤＬ部分はＭ個のＯＦＤＭ符号を含み、Ｍは正整数である。
【０２１０】
必要に応じて、ＭはＮに等しい。
【０２１１】
必要に応じて、前記無線フレームにおける異なる前記エンハンスト・サブフレームにおけるＵＬ部分サイズは同様であるか異なる。
【０２１２】
必要に応じて、前記無線フレームにおける異なる前記エンハンスト・サブフレームにおけるＤＬ部分サイズは同様であるか異なる。
【０２１３】
必要に応じて、前記エンハンスト・サブフレームはガード・インターバル（ＧＰ）部分）をさらに含む。
【０２１４】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【０２１５】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０２１６】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０２１７】
必要に応じて、前記エンハンスト・サブフレームのダウンリンクＴＴＩサイズは１つのサブフレームサイズより小さい。及び/または、前記エンハンスト・サブフレームのアップリンクＴＴＩサイズは１つのサブフレームサイズより小さい。
【０２１８】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。及び/または、前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０２１９】
必要に応じて、前記無線フレームは、少なくとも１つのダウンリンクサブフレーム及び/または少なくとも１つのアップリンクサブフレームをさらに含む。
【０２２０】
必要に応じて、前記ダウンリンクサブフレームのダウンリンクＴＴＩサイズは、１つのサブフレームサイズに等しいか小さい。及び/または、前記アップリンクサブフレームのアップリンクＴＴＩサイズは、１つのサブフレームサイズに等しいか小さい。
【０２２１】
必要に応じて、当該方法は、前記ネットワーク側装置は、前記端末のために無線フレームを設定するステップをさらに備える。
【０２２２】
同様な発明思想に基づき、本発明に係る実施例は第２種のデータ伝送の方法をさらに提供し、当該方法に対応する装置が本発明に係る実施例のデータ伝送のシステムにおける端末であり、かつ当該方法の問題解決原理は当該装置と類似するため、当該方法の実施は装置の実施を参考することができ、重複のところはこの以上説明しない。
【０２２３】
図１９に示すように、本発明に係る実施例のデータ伝送のシステムにおける第２種のデータ伝送の方法は、ステップ１９００と、ステップ１９０１とを備える。
【０２２４】
ステップ１９００：端末は、無線フレームを決定する。前記無線フレームはエンハンスト・サブフレームを含み、前記エンハンスト・サブフレームはＵＬ部分及びＤＬ部分を含む。
【０２２５】
ステップ１９０１：前記端末は、前記無線フレームを介してネットワーク側装置と通信する。
【０２２６】
必要に応じて、前記ＵＥが前記無線フレームを介してネットワーク側装置と通信することは、前記ＵＥは、前記エンハンスト・サブフレームＵＬ部分を介して、アップリンクパイロット、アップリンクトラフィックデータ及びアップリンク制御シグナリングのうちの一部または全部を送信する。及び/または、前記ＵＥは、前記エンハンスト・サブフレームＤＬ部分を介して、ダウンリンクパイロット、ダウンリンクトラフィックデータ及びダウンリンク制御シグナリングのうちの一部または全部を受信する。
【０２２７】
必要に応じて、前記ＵＥが無線フレームを決定することは、前記ＵＥは、前記エンハンスト・サブフレームにおけるＵＬ部分及びＤＬ部分のサイズを決定する。
【０２２８】
ここで、前記エンハンスト・サブフレームにおけるＵＬ部分及びＤＬ部分のサイズは同様であるか異なる。
【０２２９】
必要に応じて、前記無線フレームにおけるエンハンスト・サブフレームは、第１種のエンハンスト・サブフレーム及び/または第２種のエンハンスト・サブフレームを含む。
【０２３０】
ここで、前記第１種のエンハンスト・サブフレームにおけるＤＬ部分は、ＵＬ部分の前に位置し、前記第２種のエンハンスト・サブフレームにおけるＵＬ部分は、ＤＬ部分の前に位置する。
【０２３１】
必要に応じて、前記エンハンスト・サブフレームにおけるＵＬ部分はＮ個のＯＦＤＭ符号を含み、Ｎは正整数である。
【０２３２】
前記エンハンスト・サブフレームにおけるＤＬ部分はＭ個のＯＦＤＭ符号を含み、Ｍは正整数である。
【０２３３】
必要に応じて、ＭはＮに等しい。
【０２３４】
必要に応じて、前記無線フレームにおける異なる前記エンハンスト・サブフレームにおけるＵＬ部分サイズは同様であるか異なる。
【０２３５】
必要に応じて、前記無線フレームにおける異なる前記エンハンスト・サブフレームにおけるＤＬ部分サイズは同様であるか異なる。
【０２３６】
必要に応じて、前記エンハンスト・サブフレームはガード・インターバル（ＧＰ）部分）をさらに含む。
【０２３７】
必要に応じて、前記エンハンスト・サブフレームにおける１つのＧＰ部分、は、ＤＬ部分及びＵＬ部分の真中に位置するか、または、
前記エンハンスト・サブフレームにおける１つのＧＰ部分は、前記エンハンスト・サブフレームの最後に位置するか、または、
前記エンハンスト・サブフレームにおける１つのＧＰ部分は、前記エンハンスト・サブフレームの最前面に位置する。
【０２３８】
必要に応じて、前記無線フレームは、ＧＰ部分を有するエンハンスト・サブフレーム及びＧＰ部分がないエンハンスト・サブフレームを含み、または、
前記無線フレームに含まれる全部のエンハンスト・サブフレームはＧＰ部分を有するか、または、
前記無線フレームに含まれる全部のエンハンスト・サブフレームは、ＧＰ部分を有しない。
【０２３９】
必要に応じて、前記無線フレームにおける、ＧＰ部分を有する異なるエンハンスト・サブフレームにおいて、それぞれのエンハンスト・サブフレームにおけるＧＰ部分の位置は、同様であるか異なる。
【０２４０】
必要に応じて、前記エンハンスト・サブフレームのダウンリンクＴＴＩサイズは１つのサブフレームサイズより小さい。及び/または、前記エンハンスト・サブフレームのアップリンクＴＴＩサイズは１つのサブフレームサイズより小さい。
【０２４１】
必要に応じて、前記エンハンスト・サブフレームのダウンリンクＴＴＩサイズは、サブフレームサイズの半分に等しいか、または、前記エンハンスト・サブフレームのダウンリンクＴＴＩサイズは、前記エンハンスト・サブフレームにおけるＤＬ部分サイズに等しい。及び/または、前記エンハンスト・サブフレームのアップリンクＴＴＩサイズは、サブフレームサイズの半分に等しいか、または、前記エンハンスト・サブフレームのアップリンクＴＴＩサイズは、前記エンハンスト・サブフレームにおけるＵＬ部分サイズに等しい。
【０２４２】
必要に応じて、前記無線フレームは、少なくとも１つのダウンリンクサブフレーム及び/または少なくとも１つのアップリンクサブフレームをさらに含む。
【０２４３】
必要に応じて、前記ダウンリンクサブフレームのダウンリンクＴＴＩサイズは、１つのサブフレームサイズに等しいか小さい。及び/または、前記アップリンクサブフレームのアップリンクＴＴＩサイズは、１つのサブフレームサイズに等しいか小さい。
【０２４４】
必要に応じて、前記ＵＥが無線フレームを決定することは、
前記ＵＥは、ネットワーク側装置の構成に基づき、無線フレームを決定する。
【０２４５】
上述の内容により、本発明に係る実施例ネットワーク側装置と端末の間の伝送に利用する無線フレームはエンハンスト・サブフレームを含み、前記エンハンスト・サブフレームはＵＬ部分及びＤＬ部分を含むことがわかる。本発明に係る実施例的ＴＤＤフレーム構造は、トラフィックの柔軟性を維持するうえ、ユーザープレーン遅延を低するとともに、システムの後方法交換性を維持することができる。
【０２４６】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０２４７】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０２４８】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０２４９】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【０２５０】
本出願は、２０１５年４月１６日に中国特許局に提出し、出願番号が２０１５１０１８２０２８.６であり、発明名称が「データ伝送の方法及び装置」との中国特許出願を基礎とする優先権を主張し、その開示の総てをここに取り込む。
【０２５１】
１０  ネットワーク側装置
２０  端末
１４００  決定モジュール
１４０１  通信モジュール
１５００  決定モジュール
１５０１  通信モジュール
１６００  バス
１６０１  プロセッサ
１６０２  送受信機
１６０３  バスインターフェース
１６０４  メモリ
１６０５  アンテナ
１７００  バス
１７０１  プロセッサ
１７０２  送受信機
１７０３  バスインターフェース
１７０４  メモリ
１７０５  ユーザーインターフェース
【図１】
0006624595.tif 000006
【図２】
0006624595.tif 000007
【図３Ａ】
0006624595.tif 000008
【図３Ｂ】
0006624595.tif 000009
【図３Ｃ】
0006624595.tif 000010
【図４Ａ】
0006624595.tif 000011
【図４Ｂ】
0006624595.tif 000012
【図４Ｃ】
0006624595.tif 000013
【図５Ａ】
0006624595.tif 000014
【図５Ｂ】
0006624595.tif 000015
【図５Ｃ】
0006624595.tif 000016
【図６Ａ】
0006624595.tif 000017
【図６Ｂ】
0006624595.tif 000018
【図６Ｃ】
0006624595.tif 000019
【図７Ａ】
0006624595.tif 000020
【図７Ｂ】
0006624595.tif 000021
【図７Ｃ】
0006624595.tif 000022
【図８】
0006624595.tif 000023
【図９Ａ】
0006624595.tif 000024
【図９Ｂ】
0006624595.tif 000025
【図９Ｃ】
0006624595.tif 000026
【図９Ｄ】
0006624595.tif 000027
【図９Ｅ】
0006624595.tif 000028
【図９Ｆ】
0006624595.tif 000029
【図９Ｇ】
0006624595.tif 000030
【図９Ｈ】
0006624595.tif 000031
【図１０】
0006624595.tif 000032
【図１１Ａ】
0006624595.tif 000033
【図１１Ｂ】
0006624595.tif 000034
【図１２Ａ】
0006624595.tif 000035
【図１２Ｂ】
0006624595.tif 000036
【図１３】
0006624595.tif 000037
【図１４】
0006624595.tif 000038
【図１５】
0006624595.tif 000039
【図１６】
0006624595.tif 000040
【図１７】
0006624595.tif 000041
【図１８】
0006624595.tif 000042
【図１９】
0006624595.tif 000043